(57)【要約】【課題】ストーマ受け開口部を見ることができる観察部分を含むオストミー器具を提供する。【解決手段】オストミー器具は、それらの周縁部またはその周縁部の近傍で相互に接続する第１および第２の壁であって、第１の壁がストーマ受け開口部を有する、第１および第２の壁と、第１の壁と第２の壁との間に規定された排泄物収集空間と、を有し、ストーマ受け開口部の反対側の第２の壁の上側部分は透明であり、これによってストーマ受け開口部を見ることができる観察部分を提供し、第２の壁の下側部分は不透明であり、第２の壁の上側部分と下側部分は、互いに接続された別個の柔軟なシートである。【選択図】図４
2018187508.tif 000002
【特許請求の範囲】
【請求項１】
オストミー器具において、
それらの周縁部またはその周縁部の近傍で相互に接続する第１および第２の壁であって、前記第１の壁がストーマ受け開口部を有する、第１および第２の壁と、
前記第１の壁と前記第２の壁との間に規定された排泄物収集空間と、
を有し、前記ストーマ受け開口部の反対側の前記第２の壁の上側部分は透明であり、これによって前記ストーマ受け開口部を見ることができる観察部分を提供し、前記第２の壁の下側部分は不透明であり、前記第２の壁の前記上側部分と前記下側部分は、互いに接続された別個の柔軟なシートであることを特徴とするオストミー器具。
【発明の詳細な説明】
【技術分野】
【０００１】
本発明は、人の排泄物を収集するためのオストミー器具に関する。本発明は、排出可能なオストミー器具と排出が不可能なオストミー器具に利用できると理解すべきものである。本発明は、ワンピースオストミー器具およびツーピースオストミー器具の両方に適用可能なものである。
【発明の概要】
【課題を解決するための手段】
【０００２】
本発明の第１の形態によれば、オストミー器具において、それらの周縁部またはその周縁部の近傍で相互に接続する第１および第２の壁であって、前記第１の壁がストーマ受け開口部を有する、第１および第２の壁と、前記第１の壁と前記第２の壁との間に規定された排泄物収集空間と、を有し、前記第２の壁は、前記ストーマ受け開口部を見ることができる観察部分を含むオストミー器具が提供される。
【０００３】
本発明の第一の態様のさらなる特徴は、本明細書に添付の特許請求の範囲における請求項１に記載されている。
【図面の簡単な説明】
【０００４】
本発明の実施形態を、添付の図面を参照して単なる一例として説明する。
【図１】本発明によるオストミー器具の第１実施形態の背面図である。
【図２】本発明によるオストミー器具の第１の実施形態の正面図である。
【図３】図１の平面Ｄ−Ｄを通る断面図である。
【図４】図１の平面Ｃ−Ｃを通る断面図である。
【図５】本発明によるオストミー器具の第２の実施形態の背面図である。
【図６】本発明によるオストミー器具の第２の実施形態の正面図である。
【図７】図５の平面Ｂ−Ｂを通る断面図である。
【図８】図５の平面Ａ−Ａを通る断面図である。
【図９】本発明の第２実施形態の構成部品の平面図である。
【図１０】図９に示した構成部品の側面図であり、製造の進行段階を示している。
【図１１】図９に示した構成部品の側面図であり、製造の進行段階を示している。
【図１２】図９に示した構成部品の側面図であり、製造の進行段階を示している。
【発明を実施するための形態】
【０００５】
図１、図２、図３及び図４を、先ず参照すると、これらの図は、符号１０で示される、本発明によるオストミー器具の第１の実施形態を示している。オストミー器具１０の一般的な構造は、この技術分野で周知のものと同様であり、その意味で、オストミー器具１０は、第１の壁１２および第２の壁１４を含み、これらの壁は、それ壁の周縁部またはその近傍で、例えば、熱溶着または接着剤を用いて相互に接続されている。壁１２，１４は、以下で特定する部分以外は不透明である。図に示されるオストミー器具は排出可能な器具であり、それは、その中身を壁１２、１４との間の開口部１１を介して出すことができることを意味している。
【０００６】
第１の壁１２は、ストーマ受け開口部１６を有しており、一般的には円形であるフランジ１８に接続されており、このフランジ１８は親水コロイド材料によって製造され、それによって、器具１０をユーザの開口部の周囲でユーザに接着することができる。第１の壁１２及び第２の壁１４は、（図４にさらに明確に示されるように）排泄物を集めるための空間を規定する。
【０００７】
本発明によるオストミー器具１０は、有利には、その第２の壁１４に観察部分２０を含み、この観察部分を介してストーマ受け開口１６、ひいては開口部を、ユーザが観察することができる。ユーザが少なくともストーマ受け開口部１６の重要な部分を観察することが可能であるかぎり他の多くの形態をとることができるが、本実施形態では、観察部分２０は、ほぼ円形である。
【０００８】
本発明では、観察部分は、一般にストーマ受け開口部１６の反対側の第２の壁１４の上部の透明部分である。より詳しくは、図１、図３および図４に示されるように、第２の壁１４は、その上部の領域に、それを介してストーマ受け開口部を見ることができる観察部２０を規定する開口部２２を含む。開口部２２は、透明な追加の壁２４によって閉じられており、その壁は第２の壁１４の外面に、その周縁部１３またはその周縁部の近傍で、かつ開口部２２の周りで、直線状の接続領域２５によって、（例えば、さらなる熱溶接又は接着剤によって）接続されている。
【０００９】
図１に最もよく示されるように、器具１０は、二つのフィルタ３０を含み、これらのフィルタによって、壁１４と壁２４との間の空間から気体が大気に流出することが可能となる。それぞれの気体フィルタ３０は、壁２４の内部に面する面上に配置され、壁２４の開口部（例えば、スリット）３１に隣接して付着される。図１から分かるように、器具１０はまた、一対の大気流路開口部３２を含み、これらのそれぞれは、壁１４の上方の領域に配置され（すなわち、壁２４によって覆われ）て、（壁１２と壁１４との間の）主排泄物収集空間と、壁１４と壁２４との間の空間との間の大気流路を形成するのに用いられる。
【００１０】
図５〜図８を参照すると、これらの図は、本発明によるオストミー器具１０´の第２の実施の形態を示している。第１の実施形態と同様の要素は、ダッシュ（´）記号を付した同じ参照番号が付与されており、これらについては、本実施形態に関連してさらに詳細な説明はしない。
【００１１】
本実施形態は、観察部分２０´と気体フィルタ３０´の、配置および構造が第１実施形態と異なる。観察部分２０´は円形の部分というよりも、本実施形態では、第２の壁１４´の上側部分１４´ｂである。壁１４´のこのＤ字形状部分１４´ｂは透明であり、それによって、ユーザがストーマ受け開口部１６´を見ることが可能となる。壁１４´のその他の部分は、全体の壁１２のように不透明である。
【００１２】
オストミー装具１０´では、気体フィルタ３０´は、気体フィルタアセンブリ４０´の一部として設けられ、このアセンブリは本例では第２の壁１４´の一体部分を形成している。換言すれば、気体フィルタアセンブリ４０  ´は、第２の壁１４´の、上側部分１４´ｂと下側部分１４´ａとの間に接続され、配置される。気体フィルタアセンブリ４０´は、従って、観察部分２０´に接続されている。
【００１３】
気体フィルタアセンブリ４０´は、本例では、２つの気体フィルタ室を規定し、それぞれのフィルタ室は１つ気体フィルタ３０´を含むものである。しかし、より少ないまたはより多い気体フィルタ室を設けることができ、また、各チャンバ内の気体フィルタの数が複数であってもよいことが、理解されるべきである。本実施形態では、以下で明らかになるように、気体フィルタ室は、壁２９´の一部によって相互に離間されている。
【００１４】
図９〜図１２を参照すると、これらの図は、気体フィルタアセンブリ４０´を、平面図（図９）で、また、それによって製造進行段階（図１０〜図１２）で示している。図９から分かるように、気体アセンブリ４０´は、（液体および気体に対して不透過性でなければならない、器具１０の壁に使用される材料と同一または同様の材料の）材料片またはシートであり、一般に長方形である。それぞれの気体室は、シートの折り曲げられた端部４１´によって規定される。中央壁部２９の両側には、折り曲げられた端部４１´が折り曲げられるシートの一部が位置する。このシートの部分は、この例では、通気膜３３´で覆われた気体流路３２´を含む。図１１および図１２から分かるように、シートの隔たった部分４１´が中央壁部２９に向かって折り曲げられ、これらは、リニア接続区域２７´でシートの他の部分に付着される。これにより、図１２に示されるように、体フィルタアセンブリ４０´が、壁部２９によって互いに離間された一対の気体フィルタ室を含むことができる。この構成要素は、次いで、第２の壁１４´の上部の透明部分１４´ｂに横方向の溶着ライン２６で接続し、また、壁１４´の下部の透明部分１４´ａにリニア溶着ライン２６´で接続する。気体フィルタアセンブリ４０´は、このように、廃棄気体が気体室を通って（壁１２´と壁１４´の間の）主空間から大気に出ることを可能としつつ、第２の壁１４´の一体の部分となる。
【００１５】
なお、上記第２実施形態の特徴のいずれも、本発明の範囲を逸脱することなく、第一実施形態に組み込むことができ、また、その逆が可能であることが理解されるであろう。
【００１６】
本明細書および特許請求の範囲において使用されるとき、用語に関して「含む」と「含んでいる」およびその変形は、特定の特徴、工程、または完全なものが含まれることを意味する。用語は、他の特徴、工程または構成要素の存在を除外するものと解釈されるべきではない。
【００１７】
上述の説明に開示されている特徴、または以下の特許請求の範囲、または添付の図面は、それらの特定の形態で、または、開示された機能を実行する手段という観点で、または適宜、開示された結果を達成するための方法またはプロセスとして、表現されるものであり、個別に、またはそのような特徴の任意の組み合わせで、その多様な形態で本発明を実現するために利用されるものである。
【図１】
2018187508.tif 000003
【図２】
2018187508.tif 000004
【図３】
2018187508.tif 000005
【図４】
2018187508.tif 000006
【図５】
2018187508.tif 000007
【図６】
2018187508.tif 000008
【図７】
2018187508.tif 000009
【図８】
2018187508.tif 000010
【図９】
2018187508.tif 000011
【図１０】
2018187508.tif 000012
【図１１】
2018187508.tif 000013
【図１２】
2018187508.tif 000014